(57)【要約】【課題】動画を見ると共に文の内容を知ることを容易にする。【解決手段】携帯電話１は、文を表わす文データおよび動画を表わす動画ファイルを受信できる携帯電話である。携帯電話１は、文データおよび動画ファイルを記憶するメモリ７と、文を、少なくとも一部について自動的に、スクロール表示し、かつ動画を表示するディスプレイ６と、文が表示される時期および動画が表示される時期それぞれの少なくとも一部が重なるように、ディスプレイ６を制御する制御回路２とを含む。【選択図】        図１
2004341740.tif 000002
【特許請求の範囲】
【請求項１】
通信文を表わす文データおよび動画を表わす動画ファイルを、メールとして受信できるメール受信装置において、
前記文データおよび動画ファイルを記憶するための記憶手段と、
前記文を、少なくとも一部について自動的に、スクロール表示するための第１の表示手段と、
前記動画を表示するための第２の表示手段と、
前記文が表示される時期および前記動画が表示される時期それぞれの少なくとも一部が重なるように、前記第１の表示手段および第２の表示手段のいずれかを制御するための制御手段とを含む、メール受信装置。
【請求項２】
前記制御手段は、前記文が表示される時期および前記動画が表示される時期の一方が、他方のすべてに重なるように、前記第１の表示手段および第２の表示手段のいずれかを制御するための手段を含む、請求項１に記載のメール受信装置。
【請求項３】
前記制御手段は、前記文が表示される時期および前記動画が表示される時期が、それぞれの開始時において重なるように、前記第１の表示手段および第２の表示手段のいずれかを制御するための手段を含む、請求項１または２に記載のメール受信装置。
【請求項４】
前記記憶手段は、前記動画のいずれかの時点の特定画像と前記文を構成する文字のいずれかである特定文字との対応関係を表わす対応情報を記憶するための手段をさらに含み、
前記制御手段は、前記対応情報に基づいて、前記文が表示される時期のうち前記特定文字が表示される時期と、前記動画が表示される時期のうち前記特定画像が表示される時期とが重なるように、前記第１の表示手段および第２の表示手段のいずれかを制御するための手段を含む、請求項１に記載のメール受信装置。
【請求項５】
前記メール受信装置は、情報を入力するための入力手段をさらに含み、
前記制御手段は、前記入力手段に所定の情報が入力されたことに応答して、前記第１の表示手段および第２の表示手段のいずれかを制御するための手段を含む、請求項１から４のいずれかに記載のメール受信装置。
【請求項６】
前記メール受信装置は、情報を入力するための入力手段をさらに含み、
前記第１の表示手段は、前記入力手段に入力された情報に基づいて定められる方向に、前記文をスクロール表示するための手段を含む、請求項１から４のいずれかに記載のメール受信装置。
【請求項７】
前記メール受信装置は、
情報を入力するための入力手段と、
前記入力手段に入力された情報に基づいて、前記動画の、表示速度および表示の順逆のいずれかを決定するための決定手段とをさらに含む、請求項１から４のいずれかに記載のメール受信装置。
【請求項８】
前記メール受信装置は、予め特定された前記動画の表示時間に基づいて、前記文の表示時間を特定するための特定手段をさらに含み、
前記制御手段は、前記動画の表示時間および前記文の表示時間に基づいて、前記文が表示される時期および前記動画が表示される時期が、それぞれの終了時において重なるように、前記第１の表示手段および第２の表示手段のいずれかを制御するための手段を含む、請求項１から６のいずれかに記載のメール受信装置。
【請求項９】
通信文を表わす文データおよび動画を表わす動画ファイルを、メールとして受信できるメール受信装置において、
前記文データおよび動画ファイルを記憶するための第１の記憶手段と、
音声を表わす音声データを記憶するための第２の記憶手段と、
前記文データおよび音声データに基づいて、前記通信文に対応する音声を出力するための出力手段と、
前記動画を表示するための表示手段と、
前記発音が出力される時期および前記動画が表示される時期それぞれの少なくとも一部が重なるように、前記出力手段および表示手段のいずれかを制御するための制御手段とを含む、メール受信装置。
【発明の詳細な説明】
【０００１】
【発明の属する技術分野】
本発明は、メール受信装置に関し、特に、動画の画像データと共にメールの受信が可能なメール受信装置に関する。
【０００２】
【従来の技術】
従来、静止画や動画とともに、メッセージを通信できる携帯電話が広く用いられている。このような携帯電話において、画像とメッセージとをユーザにとってよりわかりやすく表示することが重要な課題となっている。
【０００３】
たとえば、画像と共に送信されたメッセージを表示する場合、画像とメッセージとを同時に表示するなどの工夫が用いられている。
【０００４】
具体的には、特許文献１には、電子メールに画像データが添付されている場合、画像データ上に電子メールのメッセージを表示させる携帯電話が開示されている。
【０００５】
【特許文献１】
特開２００２−２８８０８２公報
【０００６】
【発明が解決しようとする課題】
しかしながら、特許文献１に開示されているような、画像データ上にメッセージを表示する場合においては、一度に表示画面上に表示できる文字数が限られているため、たとえばユーザのキー操作に基づいたスクロール処理などの対応が必要となる。この場合、ユーザは、スクロール処理と、本文を読む動作と、画像を見聞する動作とを一度にこなさねばならず、メッセージが読みにくくなるという問題がある。この問題は、画像が動画の場合、特に顕著になる。
【０００７】
本発明は上述の問題点を解決するためになされたものであって、その目的は、動画を見ると共に文の内容を知ることが容易なメール受信装置を提供することにある。
【０００８】
【課題を解決するための手段】
上記目的を達成するために、本発明のある局面に従うと、メール受信装置は、通信文を表わす文データおよび動画を表わす動画ファイルを、メールとして受信できるメール受信装置である。メール受信装置は、文データおよび動画ファイルを記憶するための記憶手段と、文を、少なくとも一部について自動的に、スクロール表示するための第１の表示手段と、動画を表示するための第２の表示手段と、文が表示される時期および動画が表示される時期それぞれの少なくとも一部が重なるように、第１の表示手段および第２の表示手段のいずれかを制御するための制御手段とを含む。
【０００９】
すなわち、記憶手段は、文データおよび動画ファイルを記憶する。第１の表示手段は、文を、少なくとも一部について自動的に、スクロール表示する。第２の表示手段は、動画を表示する。制御手段は、文が表示される時期および動画が表示される時期それぞれの少なくとも一部が重なるように、第１の表示手段および第２の表示手段のいずれかを制御する。これにより、動画が表示される時期の少なくとも一部において、文が、少なくとも一部について自動的に、スクロール表示される。その結果、動画を見ると共に文の内容を知ることが容易なメール受信装置を提供することができる。
【００１０】
また、上述の制御手段は、文が表示される時期および動画が表示される時期の一方が、他方のすべてに重なるように、第１の表示手段および第２の表示手段のいずれかを制御するための手段を含むことが望ましい。
【００１１】
すなわち、制御手段は、文が表示される時期および動画が表示される時期の一方が、他方のすべてに重なるように、第１の表示手段および第２の表示手段のいずれかを制御できる。これにより、動画が表示される時期に、文がより的確にスクロール表示される。その結果、動画を見ると共に文の内容を知ることがより的確かつ容易なメール受信装置を提供することができる。
【００１２】
また、上述の制御手段は、文が表示される時期および動画が表示される時期が、それぞれの開始時において重なるように、第１の表示手段および第２の表示手段のいずれかを制御するための手段を含むことが望ましい。
【００１３】
すなわち、制御手段は、文が表示される時期および動画が表示される時期が、それぞれの開始時において重なるように、第１の表示手段および第２の表示手段のいずれかを制御できる。これにより、動画が表示される時期の開始時において、文が表示される。その結果、動画を見ると共に文の内容を知ることが、さらに的確かつ容易なメール受信装置を提供することができる。
【００１４】
また、上述の記憶手段は、動画のいずれかの時点の特定画像と文を構成する文字のいずれかである特定文字との対応関係を表わす対応情報を記憶するための手段をさらに含むことが望ましい。併せて、制御手段は、対応情報に基づいて、文が表示される時期のうち特定文字が表示される時期と、動画が表示される時期のうち特定画像が表示される時期とが重なるように、第１の表示手段および第２の表示手段のいずれかを制御するための手段を含むことが望ましい。
【００１５】
すなわち、記憶手段は、動画のいずれかの時点の特定画像と文を構成する文字のいずれかである特定文字との対応関係を表わす対応情報を記憶する。制御手段は、対応情報に基づいて、文が表示される時期のうち特定文字が表示される時期と、動画が表示される時期のうち特定画像が表示される時期とが重なるように、第１の表示手段および第２の表示手段のいずれかを制御することができる。これにより、制御手段は、動画が表示される時期のいずれかにおいて、特定文字が表示されるように、第１の表示手段および第２の表示手段のいずれかを制御できる。その結果、動画を見ると共に文の内容を知ることが、より容易なメール受信装置を提供することができる。
【００１６】
また、上述のメール受信装置は、情報を入力するための入力手段をさらに含むことが望ましい。併せて、制御手段は、入力手段に所定の情報が入力されたことに応答して、第１の表示手段および第２の表示手段のいずれかを制御するための手段を含むことが望ましい。
【００１７】
すなわち、入力手段は、情報を入力する。これにより、制御手段は、所定の情報が入力されたことに応答して、第１の表示手段および第２の表示手段のいずれかを制御できる。その結果、所定の情報が入力された場合に、動画を見ると共に文の内容を知ることが容易なメール受信装置を提供することができる。
【００１８】
また、上述のメール受信装置は、情報を入力するための入力手段をさらに含むことが望ましい。併せて、第１の表示手段は、入力手段に入力された情報に基づいて定められる方向に、文をスクロール表示するための手段を含むことが望ましい。
【００１９】
すなわち、入力手段は、情報を入力する。これにより、第１の表示手段は、入力手段に入力された情報に基づいて定められる方向に、文をスクロール表示できる。その結果、動画を見ると共に、入力された情報に基づいて定められる方向にスクロール表示される文の内容を知ることが容易なメール受信装置を提供することができる。
【００２０】
また、上述のメール受信装置は、情報を入力するための入力手段と、入力手段に入力された情報に基づいて、動画の、表示速度および表示の順逆のいずれかを決定するための決定手段とをさらに含むことが望ましい。
【００２１】
すなわち、入力手段は、情報を入力する。決定手段は、入力手段に入力された情報に基づいて、動画の、表示速度および表示の順逆のいずれかを決定できる。これにより、表示速度および表示の順逆のいずれかが決定された動画が、第２の表示手段によって表示される時期の少なくとも一部において、文が表示される。その結果、表示速度および表示の順逆のいずれかが決定された動画を見ると共に文の内容を知ることが容易で、かつより便利なメール受信装置を提供することができる。
【００２２】
また、上述のメール受信装置は、予め特定された動画の表示時間に基づいて、文の表示時間を特定するための特定手段をさらに含むことが望ましい。併せて、制御手段は、動画の表示時間および文の表示時間に基づいて、文が表示される時期および動画が表示される時期が、それぞれの終了時において重なるように、第１の表示手段および第２の表示手段のいずれかを制御するための手段を含むことが望ましい。
【００２３】
すなわち、特定手段は、予め特定された動画の表示時間に基づいて、文の表示時間を特定できる。制御手段は、動画の表示時間および文の表示時間に基づいて、文が表示される時期および動画が表示される時期が、それぞれの終了時において重なるように、第１の表示手段および第２の表示手段のいずれかを制御できる。これにより、文が表示される時期および動画が表示される時期が、終了時において重なるように、第１の表示手段および第２の表示手段のいずれかをより容易に制御できる。その結果、動画を見ると共に文の内容を知ることがより容易なメール受信装置を提供することができる。
【００２４】
本発明の他の局面に従うと、メール受信装置は、通信文を表わす文データおよび動画を表わす動画ファイルを、メールとして受信できるメール受信装置である。メール受信装置は、文データおよび動画ファイルを記憶するための第１の記憶手段と、音声を表わす音声データを記憶するための第２の記憶手段と、文データおよび音声データに基づいて、通信文に対応する音声を出力するための出力手段と、動画を表示するための表示手段と、発音が出力される時期および動画が表示される時期それぞれの少なくとも一部が重なるように、出力手段および表示手段のいずれかを制御するための制御手段とを含む。
【００２５】
すなわち、第１の記憶手段は、文データおよび動画ファイルを記憶する。第２の記憶手段は、音声を表わす音声データを記憶する。出力手段は、文データおよび音声データに基づいて、通信文に対応する音声を出力する。表示手段は、動画を表示する。制御手段は、発音が出力される時期および動画が表示される時期それぞれの少なくとも一部が重なるように、出力手段および表示手段のいずれかを制御する。これにより、制御手段は、動画が表示される時期の少なくとも一部において、通信文に対応する音声を出力することができる。その結果、動画を見ると共に文の内容を知ることが容易なメール受信装置を提供することができる。
【００２６】
【発明の実施の形態】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２７】
＜第１の実施の形態＞
以下、本発明の第１の実施の形態に係る携帯電話について説明する。
【００２８】
図１を参照して、本実施の形態に係る携帯電話１は、制御回路２と、無線回路３と、スピーカ４と、キーパッド５と、ディスプレイ６と、メモリ７と、マイクロフォン８とを含む。制御回路２は、携帯電話１の全体の制御および動画とともに送信されるメールの処理を担当する。無線回路３は、他の携帯電話との間でメールを通信する。スピーカ４は、データを音声に変換して出力する。キーパッド５は、ユーザの命令などの入力を受付ける。ディスプレイ６は、画像とメッセージを表わす文（以下、「メッセージ」と称する）とを表示する。メモリ７は、動画を表わす動画ファイル、メッセージに関するデータを含むメッセージデータ、およびメールのプロパティを表わすプロパティデータを記憶する。これらのデータは、画像付きメールとして送信されたデータである。マイクロフォン８は、入力されたデータを、音声に変換できる状態で出力する。制御回路２は、第１カウンタ、第２カウンタ、およびタイマ（いずれも図示せず）を含む。第１カウンタおよび第２カウンタは、ディスプレイ６に表示させる画像および文字をそれぞれ特定するパラメータを特定する。タイマは、画像および文字の表示時間を計測する。
【００２９】
図２を参照して、ディスプレイ６は、動画表示領域６１と、文字表示領域６２とを含む。動画表示領域６１は、動画およびメールの一覧表を表示する領域である。文字表示領域６２は、メッセージを表示する領域である。メッセージデータは、通信文を表わす文データと、通信文の文字数を表わすデータとを含む。プロパティデータは、全再生時間を表わすデータと、動画の全フレーム数を表わすデータとを含む。
【００３０】
なお、いうまでもなく、携帯電話１の形態は、図１または図２に示される具体例に限定されるものではない。図１または図２に記載されない他の機能が含まれてもよいし、図１または図２に記載されている機能の必ずしもすべてが含まれていなくても構わない。たとえば、携帯電話１は、マイクロホン８を含まなくてもよい。
【００３１】
図３を参照して、携帯電話１で実行されるプログラムは、メールの選択と表示とに関し、以下のような制御構造を有する。
【００３２】
ステップ１００（以下、ステップをＳと略す。）にて、制御回路２はディスプレイ６の動画表示領域６１にメール一覧表を表示させる。Ｓ１０２にて、制御回路２は、メール一覧の中から選択されたメールの、メッセージデータ、動画ファイル、およびプロパティデータを呼出す。
【００３３】
Ｓ１０４にて、制御回路２は、メモリ７から呼出したデータに動画ファイルが含まれているか否かを判断する。もし動画ファイルが含まれていると判断した場合には（Ｓ１０４にてＹＥＳ）、処理はＳ１０８へと移される。もしそうでないと（Ｓ１０４にてＮＯ）、処理はＳ１０６へと移される。
【００３４】
Ｓ１０６にて、制御回路２は、メモリ７から呼出した文データを、ディスプレイ６に出力する。ディスプレイ６は、文字表示領域６２に、文データに対応する文字を表示する。Ｓ１０８にて、制御回路２は、速度およびタイミングの設定を実施する。Ｓ１１０にて、制御回路２は、動画の再生および文データの表示を実施する。
【００３５】
図４を参照して、携帯電話１で実行されるプログラムは、速度およびタイミングの設定に関し、以下のような制御構造を有する。
【００３６】
Ｓ１２０にて、制御回路２は、メモリ７に記憶されたプロパティデータから、動画の全再生時間を読出す。Ｓ１２２にて、制御回路２は、キーパッド５を用いてスクロール方向の選択を受付ける。Ｓ１２４にて、制御回路２は、キーパッド５から入力されたスクロール方向の選択が横方向か否かを判断する。選択が横方向と判断した場合には（Ｓ１２４にてＹＥＳ）、処理はＳ１２６へと移される。もしそうでないと（Ｓ１２４にてＮＯ）、処理はＳ１２８へと移される。
【００３７】
Ｓ１２６にて、制御回路２は、下記の方程式を解いて、時間ＴＡ［ｍｓ］ごとの、横方向のスクロール速度［文字／ＴＡ（ｍｓ）］を算出する。
【００３８】
（通信文の文字数）＝（動画の全再生時間）×（スクロール速度）
Ｓ１２８にて、制御回路２は、下記の方程式を解いて、時間ＴＡ［ｍｓ］ごとの、縦方向のスクロール速度を算出する。
【００３９】
（通信文の文字数）÷（文字表示領域６２の１行に表示可能な文字数）＝（動画の全再生時間）×（スクロール速度）
図５を参照して、携帯電話１で実行されるプログラムは、動画の再生およびメッセージの表示に関し、以下のような制御構造を有する。
【００４０】
Ｓ１４０にて、制御回路２は、内蔵するタイマおよびカウンタをリセットする。タイマは「０」にリセットされる。第１カウンタおよび第２カウンタはともに「１」にリセットされる。Ｓ１４２にて、制御回路２はメモリ７に記憶された全再生時間およびＳ１２６またはＳ１２８にて算出したスクロール速度に基づいて、動画１フレームあたりの再生時間ＴＢを算出する。
【００４１】
Ｓ１４４にて、制御回路２は、メモリ７を参照して、動画ファイルに第「Ｉ」フレームの画像のデータが含まれているか否かを判断する。画像のデータが含まれていると判断した場合には（Ｓ１４４にてＹＥＳ）、処理はＳ１４６へと移される。もしそうでないと（Ｓ１４４にてＮＯ）、処理はＳ１４８へと移される。
【００４２】
Ｓ１４６にて、制御回路２は、メモリ７の動画ファイルから第「Ｉ」フレームの画像のデータを呼出す。Ｓ１４８にて、制御回路２は、文データの第「Ｊ」番目の文字のデータがメモリ７に記憶されているか否かを判断する。データがメモリ７に記憶されていると判断した場合（Ｓ１４８にてＹＥＳ）、処理はＳ１５０へと移される。もしそうでないと（Ｓ１４８にてＮＯ）、処理はＳ１５２へと移される。
【００４３】
Ｓ１５０にて、制御回路２は、メモリ７に記憶された文データから第「Ｊ」番目の文字のデータを呼出す。Ｓ１５２にて、制御回路２は、ディスプレイ６に、呼出した画像のデータおよび文字のデータを出力する。文字のデータは、文字表示領域６２に、スクロール表示される。スクロールの方向（本実施の形態においては、縦方向および横方向のいずれかである）は、Ｓ１２４において判断された選択にしたがう。これにより、動画表示領域６１および文字表示領域６２において、同時に動画の表示およびメッセージの表示が開始する。Ｓ１２６およびＳ１２８の処理によって、本実施の形態における動画の全再生時間と通信文の全表示時間とは一致するので、動画表示領域６１および文字表示領域６２において、同時に動画の表示およびメッセージの表示が終了する。
【００４４】
Ｓ１５４にて、制御回路２は、タイマに基づいて１フレームあたりの再生時間ＴＢが経過したか否かを判断する。１フレームあたりの再生時間ＴＢが経過したと判断した場合には（Ｓ１５４にてＹＥＳ）、処理はＳ１５６へと移される。もしそうでないと（Ｓ１５４にてＮＯ）、処理はＳ１５８へと移される。Ｓ１５６にて、制御回路２は、第１カウンタの値に「１」を加算する。
【００４５】
Ｓ１５８にて、制御回路２は、表示時間ＴＡが経過したか否かを判断する。表示時間ＴＡが経過したと判断した場合には（Ｓ１５８にてＹＥＳ）、処理はＳ１６０へと移される。もしそうでないと（Ｓ１５８にてＮＯ）、処理はＳ１６６へと移される。
【００４６】
Ｓ１６０にて、制御回路２は、スクロール方向が横方向か否かを判断する。スクロール方向が横方向と判断した場合には（Ｓ１６０にてＹＥＳ）、処理はＳ１６２へと移される。もしそうでないと（Ｓ１６０にてＮＯ）、処理はＳ１６４へと移される。Ｓ１６２にて、制御回路２は、第２カウンタの値に「１」を加算する。Ｓ１６４にて、制御回路２は、第２カウンタの値に１行の文字数を加算する。
【００４７】
Ｓ１６６にて、制御回路２は、第１カウンタおよび第２カウンタの値がともに最大値以上か否かを判断する。すなわち、第１カウンタの値が動画の全フレーム数以上であって、第２カウンタの値が通信文の文字数以上であるか否かを判断する。最大値以上と判断した場合には（Ｓ１６６にてＹＥＳ）、処理はメインルーチンに戻る。もしそうでないと（Ｓ１６６にてＮＯ）、処理はＳ１４４へと移される。
【００４８】
以上のような構造およびフローチャートに基づく、携帯電話１の動作について説明する。
【００４９】
［横方向のスクロール処理動作］
横方向のスクロールを選択した場合の動画およびメッセージの表示処理について説明する。
【００５０】
ディスプレイ６の動画表示領域６１にメール一覧が表示されると（Ｓ１００）、制御回路２は、メール一覧の中から選ばれたメールのメールデータを、メモリ７から呼出す（Ｓ１０２）。メールデータが呼出されると、制御回路２はメールデータの中に動画が添付されているか否かを判断する（Ｓ１０４）。この場合、動画が添付されているので（Ｓ１０４にてＹＥＳ）、制御回路２はメモリ７に記憶されたプロパティデータから、全再生時間を読出す（Ｓ１２０）。
【００５１】
全再生時間が読出されると、制御回路２はキーパッド５を用いてスクロール方向の選択を受付ける（Ｓ１２２）。選択が受付けられると、制御回路２はキーパッド５から入力されたスクロール方向の選択が横方向か否かを判断する（Ｓ１２４）。この場合、横方向のスクロールが選択されるので（Ｓ１２４にてＹＥＳ）、制御回路２は、下記の方程式を解いて、時間ＴＡ［ｍｓ］ごとの横方向のスクロール速度［文字／ＴＡ（ｍｓ）］を算出する（Ｓ１２６）。
【００５２】
（通信文の文字数）＝（動画の全再生時間）×（スクロール速度）
スクロール速度が算出されると、制御回路２は、タイマおよびカウンタをリセットする（Ｓ１４０）。カウンタがリセットされると、制御回路２はメモリ７に記憶された全再生時間およびスクロール速度に基づいて、１フレームあたりの再生時間ＴＢを算出する（Ｓ１４２）。
【００５３】
１フレームあたりの再生時間ＴＢが算出されると、制御回路２はメモリ７を参照して、動画ファイルに第「１」フレームの画像のデータが含まれているか否かを判断する（Ｓ１４４）。画像のデータは含まれているので（Ｓ１４４にてＹＥＳ）、制御回路２は、メモリ７の動画ファイルから第「１」フレームの画像のデータを呼出す（Ｓ１４６）。
【００５４】
画像のデータが呼出されると、制御回路２は、メモリ７に第「１」番目の文字のデータがあるか否かを判断する（Ｓ１４８）。第「１」番目の文字のデータがあるので（Ｓ１４８にてＹＥＳ）、制御回路２は、メモリ７の文データから第「１」番目の文字のデータを呼出す（Ｓ１５０）。
【００５５】
文字のデータが呼出されると、制御回路２は、ディスプレイ６に、呼出した画像のデータおよび文字のデータを出力する（Ｓ１５２）。データが出力されると、制御回路２はタイマに基づいて、１フレームあたりの再生時間ＴＢが経過したか否かを判断する（Ｓ１５４）。１フレームあたりの再生時間ＴＢが経過すると（Ｓ１５４にてＹＥＳ）、制御回路２は、第１カウンタの値に「１」を加算する（Ｓ１５６）。
【００５６】
カウンタの値に「１」が加算されると、制御回路２は、表示時間ＴＡが経過したか否かを判断する（Ｓ１５８）。表示時間が経過すると（Ｓ１５８にてＹＥＳ）、制御回路２は、スクロール方向が横方向か否かを判断する（Ｓ１６０）。この場合、スクロール方向は横方向なので（Ｓ１６０にてＹＥＳ）、制御回路２は、第２カウンタの値に「１」を加算する。
【００５７】
「１」が加算されると、制御回路２は第１カウンタおよび第２カウンタの値がともに最大値以上か否かを判断する（Ｓ１６６）。この場合まだ最大値ではないので（Ｓ１６６にてＮＯ）、Ｓ１４４〜Ｓ１６２の動作を繰返し、制御回路２は、第１カウンタおよび第２カウンタの値がともに最大値以上か否かを判断する（Ｓ１６６）。ともに最大値以上となった場合（Ｓ１６６にてＹＥＳ）、動画およびメッセージはすべて表示されたので処理を終了する。
【００５８】
［縦方向のスクロール処理］
縦方向のスクロールを選択した場合の動画およびメッセージの表示処理について説明する。
【００５９】
制御回路２が、キーパッド５を用いて、スクロール方向の選択を受付けると（Ｓ１２２）、制御回路２は、キーパッド５から入力されたスクロール方向の選択が横方向か否かを判断する（Ｓ１２４）。この場合、選択は縦方向なので（Ｓ１２４にてＮＯ）、制御回路２は、下記の方程式を解いて、時間ＴＡ［ｍｓ］ごとの、縦方向のスクロール速度を算出する（Ｓ１２８）。
【００６０】
（通信文の文字数）÷（文字表示領域６２の１行に表示可能な文字数）＝（動画の全再生時間）×（スクロール速度）
スクロール速度が算出されると、Ｓ１４０〜Ｓ１５８の処理を経て、制御回路２は、スクロール方向が横方向か否かを判断する（Ｓ１６０）。この場合、スクロール方向は縦方向なので（Ｓ１６０にてＮＯ）、制御回路２は、第２カウンタの値に１行の文字数を加算する（Ｓ１６４）。
【００６１】
文字数が加算されると、Ｓ１６６〜Ｓ１６４の処理を繰返して、制御回路２は、第１カウンタおよび第２カウンタの値がともに最大値以上か否かを判断する（Ｓ１６６）。ともに最大値以上の場合（Ｓ１６６にてＹＥＳ）、動画およびメッセージはすべて表示されているので、処理を終了する。
【００６２】
以上のようにして、本実施の形態に係る携帯電話は、特別に操作しなくても、動画を見ると共に文の内容を知ることが容易にできる。本実施の形態に係る携帯電話は、大規模な装置を特に必要としない。本実施の形態に係る携帯電話は、キーパッド５によって入力された選択に基づいて定められる、縦方向および横方向のいずれかにスクロール表示されるメッセージを表示することができる。その結果、動画を見ると共に文の内容を知ることが容易な携帯電話を提供することができる。
【００６３】
＜第２の実施の形態＞
以下、本発明の第２の実施の形態に係る携帯電話について説明する。
【００６４】
本実施の形態に係る携帯電話１は、キーパッド５に、機能キー６３と、巻戻しキー６４と、再生キー６５と、早送りキー６６とを含む。図６を参照して、本実施の形態に係る携帯電話１のディスプレイを説明する。本実施の形態に係る携帯電話１において、ディスプレイ６はタッチパネルとなっている。ディスプレイ６は、キーパッド５のユーザインターフェイスの機能を併せ持っている。メモリ７は、方向フラグの値を表わすデータと、縦方向および横方向それぞれについてのスクロール速度を表わすデータと、機能フラグの値を表わすデータとをさらに含む。機能キー６３は、本実施の形態に係る動画が再生される時期とメッセージが表示される時期との制御をＯＮ／ＯＦＦするキーである。巻戻しキー６４は、動画を巻戻し再生するキーである。再生キー６５は、動画を標準の設定で再生するキーである。早送りキー６６は、動画を早送り再生するキーである。方向フラグとは、たとえば順送り、巻戻しといった動画の再生の方向を表わすフラグである。機能フラグとは、本実施の形態に係る動画の再生時期とメッセージの再生時期との制御を実施するか否かを表わすフラグである。スクロール速度とは、メッセージのスクロール速度を表わす値である。メモリ７に記憶されたメッセージデータは、対応情報をさらに含む。対応情報とは、動画を構成するフレームとメッセージを構成する文字との間の対応関係を表わすデータである。図７を参照して、本実施の形態に係る対応情報の内容を説明する。対応情報は、ヘッダと、文字位置と、フレームナンバーと、文字情報とを含む。ヘッダとは、１つの対応情報の始まりを表わすデータである。文字位置とは、メッセージの中における文字の順序を表わす値である。フレームナンバーとは、文字に対応している動画のフレームの番号を表わす値である。文字情報とは、対応情報が対応する文字そのものを表わすデータである。
【００６５】
なお、その他のハードウェア構成については前述の第１の実施の形態と同じである。それらについての機能も同じである。したがって、それらについての詳細な説明はここでは繰返さない。
【００６６】
図８を参照して、携帯電話１で実行されるプログラムは、速度およびタイミングの設定に関し、以下のような制御構造を有する。なお、図８に示すフローチャートの中で、前述の図４に示した処理は同じステップ番号を付してある。それらの処理も同じである。したがって、それらについての詳細な説明はここでは繰返さない。
【００６７】
Ｓ１８０にて、制御回路２は、機能キー６３が押されたか否かを判断する。機能キー６３が押されたと判断した場合（Ｓ１８０にてＹＥＳ）、処理はＳ１８２へと移される。もしそうでないと（Ｓ１８０にてＮＯ）、処理はＳ１８４へと移される。Ｓ１８２にて、制御回路２は、切換処理を実施する。切換処理は、Ｓ１９２〜Ｓ１９６のステップによって構成される処理である。
【００６８】
Ｓ１８４にて、制御回路２は、機能フラグが「０」か否かを判断する。「０」と判断した場合には（Ｓ１８４にてＹＥＳ）、処理はＳ１２２へと移される。もしそうでないと（Ｓ１８４にてＮＯ）、処理はＳ１８６へと移される。Ｓ１８６にて、制御回路２は、メモリ７から、縦方向のスクロール速度を呼出す。
【００６９】
Ｓ１８８にて、制御回路２は、メモリ７から、横方向のスクロール速度を呼出す。Ｓ１９０にて、制御回路２は、メモリ７から、縦方向のスクロール速度を呼出す。
【００７０】
図９を参照して、携帯電話１で実行されるプログラムは、切替処理に関し、以下のような制御構造を有する。
【００７１】
Ｓ１９２にて、制御回路２は、機能フラグが「０」か否かを判断する。「０」と判断した場合には（Ｓ１９２にてＹＥＳ）、処理はＳ１９４へと移される。もしそうでないと（Ｓ１９２にてＮＯ）、処理はＳ１９６へと移される。Ｓ１９４にて、制御回路２は、機能フラグを「１」に設定する。Ｓ１９６にて、制御回路２は、機能フラグを「０」に設定する。
【００７２】
図１０を参照して、携帯電話１で実行されるプログラムは、動画の再生の開始およびメール本文の表示に関し、以下のような制御構造を有する。なお、図１０に示すフローチャートの中で、前述の図５に示した処理は同じステップ番号を付してある。それらの処理も同じである。したがって、それらについての詳細な説明はここでは繰返さない。
【００７３】
Ｓ２００にて、制御装置２は、方向フラグ、タイマおよびカウンタを設定する。方向フラグは「０」に設定される。タイマは「０」に設定される。第１カウンタは「１」に設定される。第２カウンタは「１」に設定される。Ｓ２０２にて、制御回路２はメモリ７に記憶された全再生時間およびスクロール速度に基づいて、表示時間ＴＡおよび１フレームあたりの再生時間ＴＢを算出する。
【００７４】
Ｓ２０４にて、制御回路２は、機能フラグが「０」か否かを判断する。「０」と判断した場合には（Ｓ２０４にてＹＥＳ）、処理はＳ２０６へと移される。もしそうでないと（Ｓ２０４にてＮＯ）、処理はＳ１４８へと移される。Ｓ２０６にて、制御回路２は、対応情報に基づいて、第１カウンタの値Ｉに対応する第２カウンタの値Ｊを特定する。
【００７５】
Ｓ２０８にて、制御回路２は、文データから第「Ｊ」番目以降の文字列のデータを呼出す。Ｓ２１０にて、制御回路２は、画像のデータおよび第「Ｊ」番目以降の文字列のデータを出力する。Ｓ２１２にて、制御回路２は、第１カウンタの値に「１」と方向フラグの値とを乗じた値を加算する。Ｓ２１４にて、制御回路２は、機能フラグが「０」か否かを判断する。「０」と判断した場合には（Ｓ２１４にてＹＥＳ）、処理はＳ２２２へと移される。もしそうでないと（Ｓ２１４にてＮＯ）、処理はＳ２１６へと移される。Ｓ２１６にて、制御回路２は、再生キー６５が押されたか否かを判断する。再生キー６５が押されたと判断した場合（Ｓ２１６にてＹＥＳ）、処理はＳ２１８へと移される。もしそうでないと（Ｓ２１６にてＮＯ）、処理はＳ１５８へと移される。Ｓ２１８にて、制御回路２は、次に再生キー６５が押されるまで、処理を一時停止する。
【００７６】
Ｓ２２０にて、制御回路２は、第２カウンタの値に１行の文字数と方向フラグの値とを乗じた値を加算する。Ｓ２２２にて、制御回路２は、機能フラグが「０」か否かを判断する。「０」と判断した場合には（Ｓ２２２にてＹＥＳ）、処理はＳ２２４へと移される。もしそうでないと（Ｓ２２２にてＮＯ）、処理はＳ１６６へと移される。Ｓ２２４にて、制御回路２は、再生キー６５が押されたか否かを判断する。再生キー６５が押されたと判断した場合（Ｓ２２４にてＹＥＳ）、処理はＳ２２６へと移される。もしそうでないと（Ｓ２２４にてＮＯ）、処理はＳ２２８へと移される。Ｓ２２６にて、制御回路２は標準化処理を実施する。この標準化処理は、Ｓ２４０〜Ｓ２４２のステップによって構成される処理である。
【００７７】
Ｓ２２８にて、制御回路２は、巻戻しキー６４が押されたか否かを判断する。巻戻しキー６４が押されたと判断した場合（Ｓ２２８にてＹＥＳ）、処理はＳ２３０へと移される。もしそうでないと（Ｓ２２８にてＮＯ）、処理はＳ２３２へと移される。Ｓ２３０にて、制御回路２は、巻戻し処理を実施する。巻戻し処理は、Ｓ２４６〜Ｓ２４８のステップによって構成される処理である。Ｓ２３２にて、制御回路２は、早送りキー６６が押されたか否かを判断する。早送りキー６６が押されたと判断した場合（Ｓ２３２にてＹＥＳ）、処理はＳ２３４へと移される。もしそうでないと（Ｓ２３２にてＮＯ）、処理はＳ１６６へと移される。Ｓ２３４にて、制御回路２は、早送り処理を実施する。早送り処理は、Ｓ２５０〜Ｓ２４２のステップによって構成される処理である。
【００７８】
図１１を参照して、携帯電話１で実行されるプログラムは、標準化処理に関し、以下のような制御構造を有する。
【００７９】
Ｓ２４０にて、制御回路２は、メモリ７に記憶された全再生時間に基づいて、１フレームあたりの再生時間ＴＢを算出する。Ｓ２４２にて、制御回路２は、方向フラグの値を「１」に設定する。
【００８０】
図１２を参照して、携帯電話１で実行されるプログラムは、巻戻し処理に関し、以下のような制御構造を有する。
【００８１】
Ｓ２４６にて、制御回路２は、１フレームあたりの再生時間ＴＢを「５００分の１」倍する。Ｓ２４８にて、制御回路２は、方向フラグの値を「−１」に設定する。
【００８２】
図１３を参照して、携帯電話１で実行されるプログラムは、早送り処理に関し、以下のような制御構造を有する。なお、図１３に示すフローチャートの中で、前述の図１１に示した処理は同じステップ番号を付してある。その処理も同じである。したがって、それらについての詳細な説明はここでは繰返さない。
【００８３】
Ｓ２５０にて、制御回路２は、１フレームあたりの再生時間ＴＢを「３００分の１」倍する。
【００８４】
なお、その他の処理フローについては前述の第１の実施の形態と同じである。それらについての機能も同じである。したがって、それらについての詳細な説明はここでは繰返さない。
【００８５】
以上のような構造およびフローチャートに基づく、携帯電話１の動作について説明する。
【００８６】
［機能キーが押された場合］
機能キー６３が押された場合の切換処理について説明する。
【００８７】
Ｓ１００〜Ｓ１２０の処理を経て、制御回路２は、機能キー６３が押されたか否かを判断する（Ｓ１８０）。機能キー６３が押されると（Ｓ１８０にてＹＥＳ）、制御回路２は、機能フラグが「０」か否かを判断する（Ｓ１９２）。機能フラグが「０」とすると（Ｓ１９２にてＹＥＳ）、制御回路２は、機能フラグを「１」に設定する（Ｓ１９４）。機能フラグが設定されると、制御回路２は、機能フラグが「０」か否かを判断する（Ｓ１８４）。この場合、機能フラグが「１」なので（Ｓ１９２にてＮＯ）、制御回路２は、縦方向のスクロール速度を呼出す（Ｓ１８６）。
【００８８】
縦方向のスクロール速度が呼出されると、制御回路２は、方向フラグ、タイマおよびカウンタを設定する（Ｓ２００）。設定されると、制御回路２はメモリ７に記憶された全再生時間およびスクロール速度に基づいて、表示時間ＴＡおよび１フレームあたりの再生時間ＴＢを算出する（Ｓ２０２）。表示時間などが算出されると、Ｓ１４４〜Ｓ１４６の処理を経て、制御回路２は、機能フラグが「０」か否かを判断する（Ｓ２０４）。この場合機能フラグは「１」なので（Ｓ２０４にてＮＯ）、制御回路２は、Ｓ１４８の処理を経て、文データから第「１」番目以降の文字列のデータを呼出す（Ｓ２０８）。これにより、本実施の形態に係る動画の表示時期とメッセージの表示時期との間に対する制御は実施されなくなる。文字列のデータが呼出されると、制御回路２は、画像のデータおよび第「１」番目から始まる文字列のデータを出力する（Ｓ２１０）。データが出力されると、１フレームあたりの再生時間ＴＢが経過するのを待って（Ｓ１５４にてＹＥＳ）、制御回路２は、第１カウンタの値に「１」と方向フラグの値とを乗じた値を加算する（Ｓ２１２）。この時点では、方向フラグの値は、まだ標準状態である「１」であるとする。値が加算されると、制御回路２は、機能フラグが「０」か否かを判断する（Ｓ２１４）。このとき、機能フラグは「１」なので（Ｓ２１４にてＮＯ）、制御回路２は、再生キー６５が押されたか否かを判断する（Ｓ２１６）。再生キー６５が押された場合（Ｓ２１６にてＹＥＳ）、制御回路２は、次に再生キー６５が押されるまで、処理を一時停止する（Ｓ２１８）。次に再生キー６５が押され、処理が再開されると、制御回路２は、Ｓ１５８の処理を経て、第２カウンタの値に「１」とその時点の方向フラグの値とを乗じた値を加算する（Ｓ２２０）。値が加算されると、制御回路２は、機能フラグが「０」か否かを判断する（Ｓ２２２）。このとき、機能フラグは「１」なので（Ｓ２２２にてＮＯ）、制御回路２は、Ｓ１６６以降の処理を繰返す。
【００８９】
［巻戻し処理の場合］
機能キー６３が押されず、巻戻しキー６４が押された場合の、巻戻し処理について説明する。
【００９０】
Ｓ１００〜Ｓ１２２の処理を経て、制御回路２は、選択が横方向か否かを判断する（Ｓ１２４）。この場合、選択は横方向とするので（Ｓ１２４にてＹＥＳ）、制御回路２は、メモリ７から横方向のスクロール速度を呼出す（Ｓ１８８）。スクロール速度が呼出されると、Ｓ２００〜Ｓ１４６の処理を経て、制御回路２は、機能フラグが「０」か否かを判断する（Ｓ２０４）。この場合機能フラグは「０」なので（Ｓ２０４にてＹＥＳ）、制御回路２は、第１カウンタの値Ｉに対応する第２カウンタの値Ｊを特定する（Ｓ２０６）。値が特定されると、Ｓ１４８〜Ｓ２１２の処理を経て、制御回路２は、機能フラグが「０」か否かを判断する（Ｓ２１４）。機能フラグは「０」なので（Ｓ２１４にてＹＥＳ）、制御回路２は、機能フラグが「０」か否かを判断する（Ｓ２２２）。機能フラグは「０」なので（Ｓ２２２にてＹＥＳ）、制御回路２は、再生キー６５が押されたか否かを判断する（Ｓ２２４）。再生キー６５は押されていないので（Ｓ２２４にてＮＯ）、制御回路２は巻戻しキー６４が押されたか否かを判断する（Ｓ２２８）。この場合、巻戻しキー６４が押されているので（Ｓ２２８にてＹＥＳ）、制御回路２は、１フレームあたりの再生時間ＴＢを「５００分の１」倍する（Ｓ２４６）。全再生時間が「５００分の１」倍されると、制御回路２は、方向フラグの値を「−１」に設定する（Ｓ２４８）。方向フラグの値が設定されると、Ｓ１６６〜Ｓ１５４の処理を経て、制御回路２は、第１カウンタの値に「１」と方向フラグの値「−１」とを乗じた値を加算する（Ｓ２１２）。これにより、順次巻戻し方向に動画が表示される。
【００９１】
［早送り処理の場合］
機能キー６３が押されず、早送りキー６６が押された場合の、早送り処理について説明する。
【００９２】
Ｓ１００〜Ｓ２２８の処理を経て、制御回路２は、早送りキー６６が押されたか否かを判断する（Ｓ２３２）。この場合、早送りキー６６が押されているので（Ｓ２３２にてＹＥＳ）、制御回路２は、１フレームあたりの再生時間ＴＢを「３００分の１」倍する（Ｓ２５０）。全再生時間が「３００分の１」倍されると、制御回路２は、方向フラグの値を「１」に設定する（Ｓ２４２）。方向フラグの値が設定されると、Ｓ１６６〜Ｓ２１０の処理を経て、制御回路２は、「３００分の１」になった１フレームあたりの再生時間ＴＢが経過するまで待つ（Ｓ１５４）。これを繰返すことにより、動画は早送り再生される。
【００９３】
［標準化処理の場合］
機能キー６３が押されず、再生キー６５が押された場合の、標準化処理について説明する。
【００９４】
Ｓ１００〜Ｓ２１４の処理を経て、制御回路２は再生キー６５が押されたか否かを判断する（Ｓ２２４）。この場合再生キー６５が押されるので（Ｓ２２４にてＹＥＳ）、制御回路２は、メモリ７に記憶された全再生時間に基づいて、１フレームあたりの再生時間ＴＢを算出する（Ｓ２４０）。再生時間ＴＢが算出されると、制御回路２は、方向フラグの値を「１」に設定する（Ｓ２４２）。方向フラグの値が設定されると、Ｓ１６６〜Ｓ２１０の処理を経て、制御回路２は、メモリ７に記憶された再生速度の値に基づいて定められた、１フレームあたりの再生時間ＴＢが経過するまで待つ（Ｓ１５４）。これにより、それまでの全再生時間および方向フラグの値にかかわらず、メモリ７に記憶された再生速度の値に基づいて動画が再生される。
【００９５】
以上のようにして、本実施の形態に係る携帯電話は、早送り再生の処理および巻戻し再生の処理をすることができる。携帯電話は、動画の特定の時点が表示されるときに、メッセージを構成する特定の文字が表示されるように制御する処理をすることができる。携帯電話は、機能キーが押されたことに応答して、動画表示領域および文字表示領域にそれぞれ動画およびメッセージが表示させる処理をすることができる。その結果、早送り再生された動画および巻戻し再生された動画のいずれかを見ると共に文の内容を知ることがより容易で、かつより便利な携帯電話を提供できる。
【００９６】
＜第３の実施の形態＞
以下、本発明の第３の実施の形態に係る携帯電話について説明する。
【００９７】
本実施の形態に係る携帯電話１は、メモリ７に音声データベースを含む。音声データベースは、メッセージを構成する文字、単語、慣用句、および熟語ごとに、その発音をスピーカ４によって出力できるデータが含まれたデータベースである。それらの熟語などと発音とはそれぞれ対応づけられている。なお、その他のハードウェア構成については前述の第１の実施の形態と同じである。それらについての機能も同じである。したがって、それらについての詳細な説明はここでは繰返さない。
【００９８】
図１４を参照して、携帯電話１で実行されるプログラムは、動画の再生の開始およびメールの本文の表示に関し、以下のような制御構造を有する。なお、図１４に示すフローチャートの中で、前述の図５に示した処理は同じステップ番号を付してある。それらの処理も同じである。したがって、それらについての詳細な説明はここでは繰返さない。
【００９９】
Ｓ３００にて、制御回路２は内蔵するバッファから文字列を呼出す。Ｓ３０２にて、制御回路２は、呼出した文字列にＳ１５０にて呼出した文字を追加する。
【０１００】
Ｓ３０４にて、制御回路２は、メモリ７に記憶された音声データベースに、文字列に該当する音声データがあるか否かを判断する。音声データがあると判断した場合には（Ｓ３０４にてＹＥＳ）、処理はＳ３０６へと移される。もしそうでないと（Ｓ３０４にてＮＯ）、処理はＳ３０８へと移される。Ｓ３０６にて、制御回路２は、該当する音声データを呼出す。Ｓ３０８にて、制御回路２は、バッファの文字列を更新する。
【０１０１】
Ｓ３１０にて、制御回路２は、呼出した音声データをスピーカ４に出力する。Ｓ３１２にて、制御回路２は、バッファのデータを抹消する。
【０１０２】
なお、その他の処理フローについては前述の第１の実施の形態と同じである。それらについての機能も同じである。したがって、それらについての詳細な説明はここでは繰返さない。
【０１０３】
以上のような構造およびフローチャートに基づく、携帯電話１の動作について説明する。画像のデータおよび文字のデータが出力されると（Ｓ１５２）、制御回路２は、内蔵するバッファから文字列を呼出す（Ｓ３００）。文字列が呼出されると、制御回路２は、文字列にＳ１５０にて呼出した文字を追加する（Ｓ３０２）。文字が追加されると、制御回路２は、メモリ７の音声データベースに、その文字列に対応するデータがあるか否かを判断する（Ｓ３０４）。該当するデータがない場合（Ｓ３０４にてＮＯ）、制御回路２は、バッファの文字列を更新する（Ｓ３０８）。文字列が更新されると、Ｓ１５４〜Ｓ３０２の処理を経て、制御回路２は、音声データベースに、新たに文字が追加された文字列に該当する音声データがあるか否かを判断する（Ｓ３０４）。音声データがある場合（Ｓ３０４にてＹＥＳ）、制御回路２は、該当する音声データを呼出す（Ｓ３０６）。音声データが呼出されると、制御回路２は、音声データをスピーカ４に出力する（Ｓ３１０）。音声データがスピーカに出力されると、制御回路２は、バッファのデータを抹消する（Ｓ３１２）。
【０１０４】
以上のようにして、本実施の形態に係る携帯電話は、メッセージに対応する音声を出力することができる。その結果、より容易に動画を見ると共に文の内容を知ることが容易な携帯電話を提供できる。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０６】
【発明の効果】
本発明に係るメール受信装置は、動画を見ると共に文の内容を知ることが容易にできる。
【図面の簡単な説明】
【図１】本発明の第１の実施の形態に係る携帯電話の制御ブロック図である。
【図２】本発明の第１の実施の形態に係るディスプレイの表示例を表わす図である。
【図３】本発明の第１の実施の形態に係るメールの選択と表示とに係る処理の制御の手順を示すフローチャートである。
【図４】本発明の第１の実施の形態に係る速度およびタイミングの設定処理の制御の手順を示すフローチャートである。
【図５】本発明の第１の実施の形態に係る動画の再生の開始およびメールの本文の表示処理の制御の手順を示すフローチャートである。
【図６】本発明の第２の実施の形態に係るディスプレイの表示例を表わす図である。
【図７】本発明の第２の実施の形態に係る対応情報の概念を説明する図である。
【図８】本発明の第２の実施の形態に係る速度およびタイミングの設定処理の制御の手順を示すフローチャートである。
【図９】本発明の第２の実施の形態に係る切替処理の制御の手順を示すフローチャートである。
【図１０】本発明の第２の実施の形態に係る動画の再生の開始およびメールの本文の表示処理の制御の手順を示すフローチャートである。
【図１１】本発明の第２の実施の形態に係る標準化処理の制御の手順を示すフローチャートである。
【図１２】本発明の第２の実施の形態に係る巻戻し処理の制御の手順を示すフローチャートである。
【図１３】本発明の第２の実施の形態に係る早送り処理の制御の手順を示すフローチャートである。
【図１４】本発明の第３の実施の形態に係る動画の再生の開始およびメールの本文の表示処理の制御の手順を示すフローチャートである。
【符号の説明】
１  携帯電話、２  制御回路、３  無線回路、４  スピーカ、５  キーパッド、６  ディスプレイ、７  メモリ、８  マイクロフォン、６１  動画表示領域、６２  文字表示領域、６３  機能キー、６４  巻戻しキー、６５  再生キー、６６  早送りキー。
【図１】
2004341740.tif 000003
【図２】
2004341740.tif 000004
【図３】
2004341740.tif 000005
【図４】
2004341740.tif 000006
【図５】
2004341740.tif 000007
【図６】
2004341740.tif 000008
【図７】
2004341740.tif 000009
【図８】
2004341740.tif 000010
【図９】
2004341740.tif 000011
【図１０】
2004341740.tif 000012
【図１１】
2004341740.tif 000013
【図１２】
2004341740.tif 000014
【図１３】
2004341740.tif 000015
【図１４】
2004341740.tif 000016